【手続補正書】
【提出日】平成20年8月15日(2008.8.15)
【手続補正１】
【補正対象書類名】特許請求の範囲
【補正対象項目名】全文
【補正方法】変更
【補正の内容】
【特許請求の範囲】
【請求項１】
組成物であって、
ｉ）一般式（Ｉ）
Ｘ−Ｙ      （Ｉ）
（式中、Ｘは一般式（ＩＩ）
【化１】
2004507554.tif 000001
の基を表し、Ｙは一般式（ＩＩＩ）
【化２】
2004507554.tif 000002
の基を表し、各Ａ及び各Ｂは、独立して、未置換若しくは置換基を有する芳香族炭素環、又は未置換若しくは置換基を有する芳香族複素環を示し、Ｚ又は各Ｚは独立して、未置換若しくは置換基を有する２価のヒドロカルビル基を示し、ｎは０又は１から１０の整数である。）で表される化合物（但し、一般式（ＩＶ）
【化３】
2004507554.tif 000003
（式中、Ｒ５、Ｒ６、Ｒ７、Ｒ８はエチルを示す。）で表される化合物を除く。）の１種又は２種以上、及び
ｉｉ）希釈剤又はキャリア
を含み、かかる１種又は２種以上の一般式（Ｉ）で表される化合物が、組成物の重量に対して少なくとも１重量％の鉄を供給できる十分な量で存在することを特徴とする組成物。
【請求項２】
ｎが０のときＺが、又はｎが１から１０のとき１若しくは２以上のＺが、未置換若しくは置換基を有する２価の炭化水素基であることを特徴とする請求項１記載の組成物。
【請求項３】
ｎが０のときＺが、又はｎが１から１０のとき１若しくは２以上のＺが、少なくとも１の炭素原子を有する、未置換又は置換基を有する２価のアルキレン基であることを特徴とする請求項２記載の組成物。
【請求項４】
ｎが０のときＺが、又はｎが１から１０のとき１若しくは２以上のＺが、１から１０の炭素原子を有する、未置換若しくは置換基を有する２価のアルキレン基であることを特徴とする請求項３記載の組成物。
【請求項５】
ｎが０のときＺが、又はｎが１から１０のとき１若しくは２以上のＺが、少なくとも２つの炭素原子を有する、未置換若しくは置換基を有する２価のアルキレン基であることを特徴とする請求項３又は４記載の組成物。
【請求項６】
ｎが０のときＺが、又はｎが１から１０のとき１若しくは２以上のＺが、１つの炭素原子を有する、未置換若しくは置換基を有する２価のアルキレン基であることを特徴とする請求項４記載の組成物。
【請求項７】
ｎが０のときＺが、又はｎが１から１０のとき１若しくは２以上のＺが、アルキル基、置換基を有するアルキル基及び式（Ｖ）
【化４】
2004507554.tif 000004
（式中、各Ａ及び各Ｂは、独立して、未置換若しくは置換基を有する芳香族炭素環、又は未置換若しくは置換基を有する芳香族複素環を示し、各Ｐは、存在する場合には、独立して、未置換若しくは置換基を有するヒドロカルビル基を示し、ｍは０又は１から１０の整数である。）で表される基から選択された１又は２以上の置換基で置換されたことを特徴とする請求項１〜６のいずれか記載の組成物。
【請求項８】
ｎが０のときＺが、又はｎが１から１０のとき１若しくは２以上のＺが、一般式（ＶＩ）
【化５】
2004507554.tif 000005
（式中、各Ｒ１及び各Ｒ２は、独立して、水素、又は未置換若しくは置換基を有するアルキル基、未置換若しくは置換基を有するアリール基、又は未置換若しくは置換基を有するアラルキル基を示し、ｘは少なくとも１の整数である。）で表されることを特徴とする請求項１〜６のいずれか記載の組成物。
【請求項９】
Ｒ１及びＲ２が、それぞれ独立して水素、又は未置換若しくは置換基を有するＣ１−Ｃ６のアルキル基、未置換若しくは置換基を有するＣ６のアリール基、又は未置換若しくは置換基を有するＣ１−Ｃ６のアラルキル基であることを特徴とする請求項８記載の組成物。
【請求項１０】
ｘが１から１０までの整数であることを特徴とする請求項８又は９記載の組成物。
【請求項１１】
ｘが少なくとも２の整数であることを特徴とする請求項８〜１０のいずれか記載の組成物。
【請求項１２】
ｘが１であることを特徴とする請求項８〜１０のいずれか記載の組成物。
【請求項１３】
Ｒ１及びＲ２がメチルであることを特徴とする請求項８〜１２のいずれか記載の組成物。
【請求項１４】
１若しくは２以上のＡ及び／又は１若しくは２以上のＢが、アルキル基、置換基を有するアルキル基、アリール基、及び置換基を有するアリール基から選択された１若しくは２以上の置換基で置換されたことを特徴とする１〜１３のいずれか記載の組成物。
【請求項１５】
各Ａ及び各Ｂが、独立して未置換若しくは置換基を有する芳香族炭素環、又は複素環中に酸素原子、窒素原子及び硫黄原子から選択された１若しくは２以上のヘテロ原子を含有する未置換若しくは置換基を有する芳香族複素環であることを特徴とする請求項１〜１４のいずれか記載の組成物。
【請求項１６】
各Ａ及び各Ｂが、独立して未置換若しくは置換基を有する芳香族炭素環、又は未置換若しくは置換基を有する芳香族複素環であり、環中に３から１０の原子を含有することを特徴とする請求項１〜１５のいずれか記載の組成物。
【請求項１７】
各Ａ及び各Ｂが、独立して未置換若しくは置換基を有する芳香族炭素環、又は未置換若しくは置換基を有する芳香族複素環であり、環中に３つ、５つ、又は７つの原子を含有することを特徴とする請求項１６記載の組成物。
【請求項１８】
特定の鉄原子と結合するＡ又はＢが、未置換若しくは置換基を有する３員芳香族炭素環、又は未置換若しくは置換基を有する３員芳香族複素環であり、同じ鉄原子と結合する他方のＡ又はＢが、未置換若しくは置換基を有する７員芳香族炭素環、又は未置換若しくは置換基を有する７員芳香族複素環であることを特徴とする請求項１７記載の組成物。
【請求項１９】
各Ａ及び各Ｂが、それぞれ未置換若しくは置換基を有する芳香族炭素環、又は未置換若しくは置換基を有する芳香族複素環であり、環中に５つの原子を含有することを特徴とする請求項１７記載の組成物。
【請求項２０】
各Ａ及び各Ｂが、それぞれ未置換の芳香族炭素環、又は未置換の芳香族複素環であり、環中に５つの原子を含有することを特徴とする請求項１９記載の組成物。
【請求項２１】
各Ａ及び各Ｂが、独立して未置換又は置換基を有する芳香族炭素環であることを特徴とする請求項１〜１９のいずれか記載の組成物。
【請求項２２】
各Ａ及び各Ｂが、それぞれ未置換の芳香族炭素環であることを特徴とする請求項２１記載の組成物。
【請求項２３】
Ａ及びＢが同一であることを特徴とする請求項１〜２２のいずれか記載の組成物。
【請求項２４】
Ａ及びＢの両方がシクロペンタジエニルであることを特徴とする請求項１〜１３のいずれか１つに記載の組成物。
【請求項２５】
一般式（Ｉ）で表される化合物が、式（ＶＩＩ）
【化６】
2004507554.tif 000006
で表されることを特徴とする請求項１記載の化合物。
【請求項２６】
一般式（Ｉ）で表される化合物が、組成物の重量に対して少なくとも２重量％の鉄を供給できる十分な量で存在することを特徴とする請求項１〜２５のいずれか記載の組成物。
【請求項２７】
一般式（Ｉ）で表される化合物が、組成物の重量に対して少なくとも３重量％の鉄を供給できる十分な量で存在することを特徴とする請求項２６記載の組成物。
【請求項２８】
一般式（Ｉ）で表される化合物が、−４０℃において、組成物の重量に対して少なくとも１重量％の鉄を供給できる十分な量で存在することを特徴とする請求項１〜２５のいずれか記載の組成物。
【請求項２９】
一般式（ＶＩＩＩ）
Ａ−Ｆｅ−Ｂ            （ＶＩＩＩ）
（式中、Ａ及びＢは一般式（Ｉ）におけるＡ及びＢと同じ。）で表される化合物を実質的に含有しないことを特徴とする請求項１〜２８のいずれか記載の組成物。
【請求項３０】
燃料用燃焼システムの排気システムに設置される粒子フィルタートラップの再生方法であって、粒子フィルタートラップに存在する炭素系微粒子を、請求項１〜２９のいずれか記載の組成物の燃焼生成物と接触させることを含むことを特徴とする粒子フィルタートラップの再生方法。
【請求項３１】
組成物が燃焼システムに連結した容器内に収納され、燃焼システムにおいて組成物を燃料の燃焼に先だって燃料に導入することを特徴とする請求項３０記載の粒子フィルタートラップの再生方法。
【請求項３２】
燃焼システムの排気システムに設置される粒子フィルタートラップの再生温度の降下に用いることを特徴とする請求項１〜２９のいずれか記載の組成物の使用方法。
【請求項３３】
燃焼システムの排気システムに設置される粒子フィルタートラップの再生温度を降下させる燃料添加剤に用いることを特徴とする請求項１〜２９のいずれか記載の組成物の使用方法。
【請求項３４】
組成物であって、
ｉ）一般式（Ｉ）
Ｘ−Ｙ        （Ｉ）
（式中、Ｘは一般式（ＩＩ）
【化７】
2004507554.tif 000007
の基を表し、Ｙは一般式（ＩＩＩ）
【化８】
2004507554.tif 000008
の基を表し、各Ａ及び各Ｂは、独立して、未置換若しくは置換基を有する芳香族炭素環、又は未置換若しくは置換基を有する芳香族複素環であり、Ｚ又は各Ｚは独立して、未置換又は置換基を有する２価のヒドロカルビル基を示し、ｎは０又は１から１０までの整数である。）で表される１種又は２種以上の化合物、及び
ｉｉ）希釈剤又はキャリア
を含み、かかる１種又は２種以上の一般式（Ｉ）で表される化合物が、組成物の重量に対して少なくとも１重量％の鉄を供給できる十分な量で存在することを特徴とする組成物。
【請求項３５】
燃料用燃焼システムの排気システムに設置される粒子フィルタートラップの再生方法であって、粒子フィルタートラップに存在する炭素系微粒子を、請求項３４記載の組成物の燃焼生成物と接触させることを含むことを特徴とする粒子フィルタートラップの再生方法。
【請求項３６】
燃焼システムの排気システムに設置される粒子フィルタートラップの再生温度の降下に用いることを特徴とする請求項３４記載の組成物の使用方法。
【請求項３７】
燃焼システムの排気システムに設置される粒子フィルタートラップの再生温度を降下させる燃料添加剤に用いることを特徴とする請求項３４記載の組成物の使用方法。
【請求項３８】
燃料用燃焼システムの排気システムに設置される粒子フィルタートラップの再生方法であって、粒子フィルタートラップに存在する炭素系微粒子を、請求項１〜２５のいずれか記載の組成物の燃焼生成物と接触させることを含むことを特徴とする粒子フィルタートラップの再生方法。
【請求項３９】
燃焼システムの排気システムに設置される粒子フィルタートラップの再生温度の降下に用いることを特徴とする請求項１〜２５のいずれか記載の１種又は２種以上の化合物の使用方法。
【請求項４０】
燃焼システムの排気システムに設置される粒子フィルタートラップの再生温度を降下させる燃料添加剤に用いることを特徴とする請求項１〜２５のいずれか記載の１種又は２種以上の化合物の使用方法。
【請求項４１】
燃料用燃焼システムの排気システムに設置される粒子フィルタートラップの再生方法であって、粒子フィルタートラップに存在する炭素系微粒子を、請求項３４記載の１種又は２種以上の化合物の燃焼生成物と接触させることを含むことを特徴とする粒子フィルタートラップの再生方法。
【請求項４２】
燃焼システムの排気システムに設置される粒子フィルタートラップの再生温度の降下に用いることを特徴とする請求項３４記載の１種又は２種以上の化合物の使用方法。
【請求項４３】
燃焼システムの排気システムに設置される粒子フィルタートラップの再生温度を降下させる燃料添加剤に用いることを特徴とする請求項３４記載の１種又は２種以上の化合物の使用方法。
【請求項４４】
下流に粒子フィルターシステムを有する高圧縮自然発火エンジン動作用の液体燃料に対する添加物として用いることを特徴とするジェミナルビスフェロセニルアルカンの使用方法。
【請求項４５】
ジェミナル ビスフェロセニルアルカンの４つのシクロペンタジエニル環の１又は２以上が、独立して、Ｃ１〜Ｃ４の置換基を有する少なくとも１つのアルキル基を有することを特徴とする請求項４４記載のジェミナルビスフェロセニルアルカンの使用方法。
【請求項４６】
有機溶媒に溶解して用いることを特徴とする請求項４４又は４５記載のジェミナル ビスフェロセニルアルカンの使用方法。
【請求項４７】
二酸化炭素を有する化合物を抽出することを含むことを特徴とする請求項１〜２５のいずれか記載の化合物の精製方法。
【請求項４８】
二酸化炭素を有する化合物を抽出することを含むことを特徴とする請求項３４記載の化合物の精製方法。
【手続補正２】
【補正対象書類名】明細書
【補正対象項目名】００１８
【補正方法】変更
【補正の内容】
【００１８】
一般式（Ｉ）で表される化合物において、１種又は２種以上のＡ及び／又は１種又は２種以上のＢは、例えば、アルキル基、置換基を有するアルキル基、アルコキシ基、置換基を有するアルコキシ基、アリール基、置換基を有するアリール基、アラルキル基、置換基を有するアラルキル基から選択される１以上の置換基によって置換されていてもよく、好ましくはアルキル基、置換基を有するアルキル基、アリール基、置換基を有するアリール基から選択される１又は２以上の置換基によって置換されていてもよい。１又は２以上のＡ及び／又は１又は２以上のＢが１以上の置換基で置換される場合は、より好ましくは、置換基はアルキル基である。Ａ及び／又はＢに適した他の置換基には、環式基、例えば、シクロアルキル基や、Ａ及び／又はＢの２つの異なる炭素原子がかかる環式基の環式環の一部を形成する縮合環基が含まれる。１又は２以上のＡ及び／又はＢが置換されるときは、置換基は環により異なったものである。Ａ及び／又はＢに存在するいかなる置換基も一般式（Ｉ）で表される化合物の調製における反応条件下で不活性であるべきであり、燃料、又はかかる燃料中に用いられる他の添加剤と好ましくない相互作用をおこすものは除かれる。かかる条件に適合する置換基は当業者にとっては明確である。置換基を有するアルキル基及び置換基を有するアルコキシ基に対する適切な置換基としては、ハロゲン原子、ヒドロキシ基、ニトロ基、アルコキシ基、アリール基、環式基及びエステル基を挙げることができ、置換基を有するアリール基及び置換基を有するアラルキル基における適切な置換基としては、ハロゲン原子、ヒドロキシ基、ニトロ基、アルキル基、アルコキシ基、環式基及びエステル基を例示することができる。置換基を有するアラルキル基の場合には、１又は１以上の置換基がかかるアリール基及び／又はアルキル基に存在してもよい。Ａ及び／又はＢにおける特に好適な置換基としては、例えば、エチル基等のＣ１〜Ｃ４のアルキル基を挙げることができる。
【手続補正３】
【補正対象書類名】明細書
【補正対象項目名】００２０
【補正方法】変更
【補正の内容】
【００２０】
本発明において、使用するアルキル基、アルコキシ基又はアラルキル基における「アルキル」は、直鎖状又は分鎖状であってよい。本発明において、ここで使用する「未置換又は置換基を有する２価のヒドロカルビル基」という語は、少なくとも炭素及び水素を含有し、随意的に１又は２以上の適切な置換基を有していてもよい基を意味する。代表的な未置換又は置換基を有する２価のヒドロカルビル基は未置換又は置換基を有する２価の炭化水素基である。ここで「炭化水素」という語は、線状、分枝状又は環状であってよい、アルキレン基、アルケニレン基、アルキニレン基、又は２価のアリール基のいずれか１つを意味する。例えば、未置換又は置換基を有する２価の炭化水素基はアルキレン基、分枝状アルキレン基又はシクロアルキレン基であってよい。炭化水素という語は上記の基であって、置換基を有していない基をも含み、炭化水素が１又は２以上の置換基を有する分枝状構造である場合には、炭化水素の主鎖又は分枝のいずれかに置換基を有するものであってもよい。あるいは、炭化水素の基幹部及び分枝に置換が生じてもよい。好ましい未置換又は置換基を有する２価の炭化水素基は、アルキレン結合において、少なくとも１つの炭素原子を有する未置換又は置換基を有する２価のアルキレン基であり、より好ましくは、未置換又は置換基を有する２価の炭化水素基は１から１０の炭素原子を持つ未置換又は置換基を有する２価のアルキレン基であり、例えば、少なくとも２つの炭素原子を有する、又は１つの炭素原子を有するアルキレン基である。２価のヒドロカルビル基が１又は２以上の炭素を有する場合、かかる炭素は必ずしもお互いに連結している必要はない。例えば、少なくとも２つの炭素が適切な元素又は基によって連結していてもよい。このように、２価のヒドロカルビル基はヘテロ原子を含有してよい。適切なヘテロ原子としては、硫黄原子、窒素原子、及び酸素原子を例示することができ、例えば酸素原子を具体的に挙げることができる。
【手続補正４】
【補正対象書類名】明細書
【補正対象項目名】００２１
【補正方法】変更
【補正の内容】
【００２１】
１又は２以上のヒドロカルビル基Ｚ上に存在してよい適切な置換基としては、ハロゲン原子、未置換又は置換基を有するアルコキシ基、ニトロ基、未置換又は置換基を有するアルキル基、未置換又は置換基を有するアリール基、未置換又は置換基を有するアラルキル基、未置換又は置換基を有するアルカリール基（ａｌｋａｒｙ）、未置換又は置換基を有する環式基、及び一般式（Ｖ）で表される基を挙げることができる。
【手続補正５】
【補正対象書類名】明細書
【補正対象項目名】００２５
【補正方法】変更
【補正の内容】
【００２５】
Ｚにおける置換基のアルキル基及び置換基を有するアルコキシ基における好ましい置換基として、ハロゲン原子、ヒドロキシ基、ニトロ基、アルコキシ基、環式基及びエステル基を挙げることができる。また、Ｚにおける置換基のアリール基、置換基を有するアラルキル基及び置換基を有する環式基に対する適切な置換基として、ハロゲン原子、ヒドロキシ基、ニトロ基、アルキル基、アルコキシ基、環式基及びエステル基を挙げることができ、このうち好ましくはアルキル基を挙げることができる。置換基を有するアラルキル基の場合は、１又は１以上の置換基がかかる基のアリール基及び／又はアルキル基に存在してもよい。
【手続補正６】
【補正対象書類名】明細書
【補正対象項目名】００２８
【補正方法】変更
【補正の内容】
【００２８】
式中、各Ｒ１及び各Ｒ２は、独立して水素原子、アルキル基、置換基を有するアルキル基、アルコキシ基、置換基を有するアルコキシ基、アリール基、置換基を有するアリール基、アラルキル基、置換基を有するアラルキル基、環式基又は置換基を有する環式基を示し、ｘは、例えば１〜１０の整数のように、少なくとも１の整数である。また、Ｒ１及びＲ２は、それらが結合している炭素原子と共に、環式環を形成してよい。一の実施態様においては、ｘが少なくとも２であり、他の実施態様においては、ｘは１であってもよい。
【手続補正７】
【補正対象書類名】明細書
【補正対象項目名】００２９
【補正方法】変更
【補正の内容】
【００２９】
一般式（ＶＩ）で表される基において、各Ｒ１及び各Ｒ２としては、例えば、独立して水素原子、Ｃ１−Ｃ６のアルキル基、置換基を有するＣ１−Ｃ６のアルキル基、Ｃ１−Ｃ６のアルコキシ基、置換基を有するＣ１−Ｃ６のアルコキシ基、Ｃ６のアリール基、置換基を有するＣ６のアリール基、Ｃ１−Ｃ６のアラルキル基又は置換基を有するＣ１−Ｃ６のアラルキル基を挙げることができ、好ましくは、Ｒ１及びＲ２がメチル基を挙げることができる。
【手続補正８】
【補正対象書類名】明細書
【補正対象項目名】００３１
【補正方法】変更
【補正の内容】
【００３１】
一般式（ＶＩ）で表される基におけるＲ１及びＲ２は、一般式（Ｉ）の化合物の調製の反応条件下で、不活性であるものであり、燃料や燃料用の他の添加剤と好ましくない相互作用をおこすものは除かれる。一般式（ＶＩ）で表される基における置換基を有するアルキル基及び置換基を有するアルコキシ基の置換基として、ハロゲン原子、ヒドロキシ基、ニトロ基、アルコキシ基、環式基及びエステル基を好ましく例示することができる。一般式（ＶＩ）で表される基における置換基を有するアリール基、置換基を有するアラルキル基及び置換基を有する環式基における置換基として、ハロゲン原子、ヒドロキシ基、ニトロ基、アルキル基、アルコキシ基、環式基及びエステル基を好ましく例示することができ、より好ましくはアルキル基を挙げることができる。置換基を有するアラルキル基の場合には、１又は２以上の置換基は、かかる基のアリール基及び／又はアルキル基に存在してもよい。
【手続補正９】
【補正対象書類名】明細書
【補正対象項目名】００４９
【補正方法】変更
【補正の内容】
【００４９】
一般式（Ｉ）で表される化合物は、式中、一般式（ＩＩＩ）のｎが０でありＡ及びＢが未置換のシクロペンタジエニル環であるとき、例えば、２当量のフェロセンを、１当量のケトン又はアルデヒド等のカルボニル化合物、又は１当量のケタール又はアセタール等とそれぞれ縮合することにより調製することができる。ＵＳ−Ａ−３，６７３，２３２においては、カルボニル化合物又は相当物を、硫酸等の強酸のメタノール等のアルコール溶液と、フェロセンのトルエン等の有機溶媒溶液又はフェロセン飽和トルエン中のフェロセン上澄み液からなる二相システムに添加することにより、ビスフェロセニルアルカンを生成している。一般式（Ｉ）で表される化合物は、式中、一般式（ＩＩＩ）におけるｎが０であり１以上のＡ及び／又はＢが置換基を有るシクロペンタジエニル環、例えば、アルキル化フェロセンであるとき、この方法で調製することができる。出発原料として使用されたフェロセン又は置換基を有するフェロセンが、調製に用いられた反応温度において液体、例えば、溶融されているとき、２相システムはかかる液体、例えば、溶融されているとき、フェロセン化合物は有機溶媒に溶解されていなくてもよい。異なる置換基を有するフェロセン、又はフェロセン自身で置換したフェロセン基を含有した組成物は、出発原料を適切に混合したものを用いることにより調製することができる。
【手続補正１０】
【補正対象書類名】明細書
【補正対象項目名】００５０
【補正方法】変更
【補正の内容】
【００５０】
カルボニル化合物又は同等物は、モル量を変更することによって、一般式（ＩＩＩ）におけるｎが０ではないときの一般式（Ｉ）で表される化合物を調製することができる。例えば、１モル当量のフェロセンと０．６７当量のアセトンを反応させると、未反応のフェロセン、式中ｎが０である一般式（Ｉ）で表される化合物、式中ｎが１である一般式（Ｉ）で表される化合物及び場合によっては高級オリゴマーからなる混合物を含む生成物が生成される。最初に０．６当量のアセトン、次に反応が実質的に完了したときに０．３当量のアセトンを２段階で添加すると、０．６７当量のアセトンを反応させたときの上記の方法と比べて、式中ｎが２である一般式（Ｉ）の合成物をいくらか高い割合で含有する混合物が生成される。存在するオリゴマー種の相対的割合は、フェロセン及びカルボニル化合物又は同等物両方の添加を変更することによっても調製することができる。このように、式中、ｎが１である一般式（Ｉ）で表される化合物が高い割合になるのは、２モル当量のフェロセンと１モル当量のアセトンとの反応後、さらに１当量のフェロセン及びアセトンをそれぞれ添加した結果である。異なった置換基を有する又はフェロセン自身で置換したフェロセンの混合物を含有する組成物は出発原料の適切な混合により調製することができる。
【手続補正１１】
【補正対象書類名】明細書
【補正対象項目名】００５１
【補正方法】変更
【補正の内容】
【００５１】
ＵＳ−Ａ−３，６７３，２３２によると、カルボニル化合物又は同等物の添加率を変更することによって、一般式（ＩＩＩ）におけるｎが０以外のときの一般式（Ｉ）で表される化合物が生成される。
【手続補正１２】
【補正対象書類名】明細書
【補正対象項目名】００５３
【補正方法】変更
【補正の内容】
【００５３】
ヒドロカルビル基Ｚにおいて、式中、ｍが０のとき一般式（Ｖ）で表される置換基を含有する一般式（Ｉ）で表される化合物は、数多くの方法で調製されてよい。最も簡潔な方法の１つは、上記で説明した過程においてカルボニル化合物又は同等物として、ジアルデヒド又はジケトン等のジカルボニル種又は同等物を使用するものである。存在する各物質の当量モル数について適切な調整が必要である。他の方法として、式中ｎが０であり、ヒドロカルビル基Ｚにおいて、式中ｍが０のときの一般式（Ｖ）で表される置換基を含んでいる一般式（Ｉ）で表される化合物は上術したように塩素化アルデヒド又はケトンを用いて調製することができ、引き続いてリチウム化フェロセンと反応させることができる。
【手続補正１３】
【補正対象書類名】明細書
【補正対象項目名】００５４
【補正方法】変更
【補正の内容】
【００５４】
式中ｍが０でない場合の一般式（Ｖ）で表される置換基でＺが置換されるとき、一般式（Ｉ）で表される化合物、又は一般式（Ｉ）で表される化合物を含む混合物は種々の方法で調製することができる。例えば、４当量のフェロセンと反応した１当量のジケトンの反応生成物は、さらに、フェロセン、及びアセトン等のカルボニル基含有化合物と１当量ずつ反応させることができる。他の方法としては、ジケトンを、フェロセン及び式中ｎが０である一般式（Ｉ）で表される化合物の混合物と反応させることができる。さらに別の可能性として、式中ｎが０である一般式（Ｉ）で表される化合物を、塩素化アルデヒド又はケトンを用いて調製し、その後さらに、非官能性アルデヒド又はケトン又は同等物から調製された式中、ｎが０のときの一般式（Ｉ）で表される化合物と反応させることができる。
【手続補正１４】
【補正対象書類名】明細書
【補正対象項目名】０１４４
【補正方法】変更
【補正の内容】
【０１４４】
化合物８は架橋基がアリール基によって置換されてよく、化合物９の置換基がアラルキル基であってよく及び化合物１０はアルカリール基（ａｌｋａｒｙｌ）であってよいことを示す。ここでも、化合物９はα置換のカルボニルが使用した標準条件下で副反応を起こしがちであることを示す。
【手続補正１５】
【補正対象書類名】明細書
【補正対象項目名】０１４６
【補正方法】変更
【補正の内容】
【０１４６】
化合物１２から１５まではジカルボニル化合物のものである。これらの化合物は、式中、一般式（ＩＩＩ）におけるｎが０でありＺが式中ｍが０である一般式（Ｖ）の２つの基によって置換される一般式（Ｉ）の種を形成すると考えられている。かかる化合物が非常に高度な純度で形成されるか及び／又は容易に結晶化されない限り、かかる種が実際に形成されたかどうかを提示するのは困難である。例えば、化合物１３における種の予測式量は８０８ダルトンである。かかる種がＧＣの過程を終了するだけの揮発性及び熱安定性をあわせて持っているとは考えにくく、使用した質量解析計の質量限度を超えている。４つのケースすべてにおいて、アルキル基、アルケニル基、シクロアルキル基、及びシクロアルケニル基で置換したフェロセンを含む副産物及びいくらかのジフェロセン生成物がＧＣ／ＭＳの痕跡から推測できた。上記物質が合成中に生じたのか又はＧＣ乾燥機で熱分解中に生じたのかは不明である。化合物１３条で低温溶解性研究中に単離した結晶固形の１Ｈ及び１３Ｃスペクトルは、当量のメチル及びシクロペンタジエニル基を含む大量の高対称的物質が存在すること又は形成されたことを示し、及び暗にカルボニル基又はヒドロキシル基が存在しないこと又は形成されなかったことを示した。メチレンプロトンが存在しないか又は（より可能性が高いが）シクロペンタジエニルに偶発的に縮退したかは明らかでない。